(57)【要約】【課題】左利きの操作者に対する利便性を向上させた携帯型端末装置を提供する。【解決手段】本体部、カバー部、操作部、キー設定記憶部、業務プログラム記憶部、端子部、キー配列プログラム記憶部を備える。本体部は、上下判別用センサを備えた電子機器を、表示画面を露出させて保持する。カバー部は、表示画面を覆う位置と、表示画面と横並びの位置との間を移動可能に本体部に連結されている。操作部は、カバー部の内側面に設けられ、中央で対称に配置された複数のキーを備える。キー設定記憶部は、キーが受け付ける操作指示内容をキーに関連付ける第１のキー設定情報と、操作指示内容を第１のキー設定情報と対称な位置関係にあるキーに関連付ける第２のキー設定情報とを記憶する。キー配列プログラム記憶部は、電子機器に、第１および第２のキー設定情報のうち上下方向に適する方を採用させるためのプログラムを記憶する。【選択図】図３
2019022133.tif 000002
【特許請求の範囲】
【請求項１】
携帯型で上下方向を判別するためのセンサを備えた電子機器を、当該電子機器が前面に備える表示画面を露出させた状態で着脱可能に保持する本体部と、
前記本体部に保持された前記電子機器の前記表示画面を覆う第１位置と、当該第１位置において前記表示画面に対向する第１面が前記表示画面と横並びに位置する第２位置と、の間を移動可能に前記本体部に連結されたカバー部と、
前記カバー部の前記第１面に設けられ、中央で対称に配置された複数のキーを備える操作部と、
前記キーの各々が受け付ける操作指示内容を前記キーの各々に関連付ける第１のキー設定情報と、前記操作指示内容の各々を、当該操作指示内容が前記第１のキー設定情報で関連付けられている前記キーと対称な位置関係にある前記キーに関連付ける第２のキー設定情報と、を記憶するキー設定記憶部と、
前記電子機器に所定の業務を実行させるためのプログラムを記憶する業務プログラム記憶部と、
前記本体部に保持された前記電子機器の外部接続端子と情報送受信可能に接続し、当該電子機器に対し、前記業務プログラム記憶部に記憶されたプログラムを実行可能に提供する端子部と、
前記業務を実行する前記電子機器に、当該電子機器の前記センサにより判別された上下方向に応じて、前記第１および第２のキー設定情報のうち適する方を採用させるためのプログラムを記憶するキー配列プログラム記憶部と、
を備える携帯型端末装置。
【請求項２】
携帯型の電子機器を、当該電子機器が全面に備える表示画面を露出させた状態で着脱可能に保持する本体部と、
前記本体部に保持された前記電子機器の前記表示画面を覆う第１位置と、当該第１位置において前記表示画面に対向する第１面が前記表示画面と横並びに位置する第２位置と、の間を移動可能に前記本体部に連結されたカバー部と、
前記カバー部の前記第１面に設けられ、中央で対称に配置された複数のキーを備える操作部と、
前記キーの各々が受け付ける操作指示内容を前記キーの各々に関連付ける第１のキー設定情報と、前記操作指示内容の各々を、当該操作指示内容が前記第１のキー設定情報で関連付けられている前記キーと対称な位置関係にある前記キーに関連付ける第２のキー設定情報と、を記憶するキー設定記憶部と、
前記電子機器に所定の業務を実行させるためのプログラムを記憶する業務プログラム記憶部と、
前記本体部に保持された前記電子機器との情報送受信を可能にする接続に用いられ、当該電子機器に対し、前記業務プログラム記憶部に記憶されたプログラムを実行可能に提供する第１の端子部と、
前記第１の端子部と同機能を有し、前記第１の端子部と前記本体部の中央で点対称な位置に設けられた第２の端子部と、
前記業務を実行する前記電子機器に、前記第１および第２の端子部のいずれが前記電子機器との接続を行っているかに応じて、前記第１および第２のキー設定情報のうち適する方を採用させるためのプログラムを記憶するキー配列プログラム記憶部と、
を備える携帯型端末装置。
【請求項３】
前記第１および第２の端子部と接続可能な第３の端子部と、前記電子機器の外部接続端子と接続可能な第４の端子部と、を有し、所定の入力操作を受け付ける第２操作部をさらに備え、
前記本体部は、前記第２操作部を、当該第２操作部の入力受付面が前記表示画面と同じ方向に向いた状態で着脱可能に、前記電子機器とともに保持し、
前記第１および第２の端子部は、前記第２操作部を介して、前記電子機器に接続される
ことを特徴とする請求項２に記載の携帯型端末装置。
【請求項４】
前記第２操作部は、二次電池を、着脱可能に内蔵し、
前記第４の端子部は、前記電子機器に対し前記二次電池の電力を供給する
ことを特徴とする請求項３に記載の携帯型端末装置。
【請求項５】
前記二次電池は、前記第２操作部の背面から着脱可能であって、
前記本体部は、背面を構成する部分に、前記第２操作部に対して前記二次電池を着脱可能に露出させる開口部を有する
ことを特徴とする請求項４に記載の携帯型端末装置。
【発明の詳細な説明】
【技術分野】
【０００１】
本発明の実施形態は、携帯型端末装置に関する。
【背景技術】
【０００２】
従来、レストラン等の飲食店では、注文に関する情報を入力するための専用端末が用いられている。当該端末は携帯型であって、ハンディターミナル等と呼ばれる。ハンディターミナルは、各種メニューを指定するためのメニューキーや、トッピング等を指定するためのオプションキー、テンキー等、オーダーエントリ業務に係る操作キー等を備えている。各種キーは、ハンディターミナルが本体側に備える表示部に重ねられたタッチパネルと、表示部を覆うカバー部に設けられたハードキーとに、振り分けて設けられている。
【０００３】
店員は、客席で注文を聞き取りながら、ハンディターミナルに対して、新規注文や注文変更・削除等の情報入力操作（オーダーエントリ業務）を行う。ハンディターミナルに入力されたオーダー内容は、オーダー情報として店舗内に設けられたオーダーステーション等に送信される。
【０００４】
ハンディターミナルは、一般的に、右利き用にデザインされていて、装置使用時にカバー部が本体部に対して右側に位置するように設計されていることが多い。このため、左利きの店員には扱いにくい装置となっている可能性がある。
【０００５】
一方、近年は、スマートフォン等の汎用の携帯型電子機器に、オーダーエントリ業務用のアプリケーションを導入したものを、ハンディターミナルとして用いることがある。この場合、操作受付がタッチパネルのみである上に、表示部が従来のハンディターミナルより小さく一度に表示可能なキー数が限られる。このため、メニュー表示が多階層化し、従来に比べて、画面の切り替えが多く操作が煩雑で、接客所要時間が長くなりがちである。
【発明の概要】
【発明が解決しようとする課題】
【０００６】
本発明が解決しようとする課題は、左利きの操作者に対する利便性を向上させた携帯型端末装置を提供することである。
【課題を解決するための手段】
【０００７】
実施形態の携帯型端末装置は、本体部と、カバー部と、操作部と、キー設定記憶部と、業務プログラム記憶部と、端子部と、キー配列プログラム記憶部と、を備える。本体部は、携帯型で上下方向を判別するためのセンサを備えた電子機器を、当該電子機器が前面に備える表示画面を露出させた状態で着脱可能に保持する。カバー部は、前記本体部に保持された前記電子機器の前記表示画面を覆う第１位置と、当該第１位置において前記表示画面に対向する第１面が前記表示画面と横並びに位置する第２位置と、の間を移動可能に前記本体部に連結されている。操作部は、前記カバー部の前記第１面に設けられ、中央で対称に配置された複数のキーを備える。キー設定記憶部は、前記キーの各々が受け付ける操作指示内容を前記キーの各々に関連付ける第１のキー設定情報と、前記操作指示内容の各々を、当該操作指示内容が前記第１のキー設定情報で関連付けられている前記キーと対称な位置関係にある前記キーに関連付ける第２のキー設定情報と、を記憶する。業務プログラム記憶部は、前記電子機器に所定の業務を実行させるためのプログラムを記憶する。端子部は、前記本体部に保持された前記電子機器の外部接続端子と情報送受信可能に接続し、当該電子機器に対し、前記業務プログラム記憶部に記憶されたプログラムを実行可能に提供する。キー配列プログラム記憶部は、前記業務を実行する前記電子機器に、当該電子機器の前記センサにより判別された上下方向に応じて、前記第１および第２のキー設定情報のうち適する方を採用させるためのプログラムを記憶する。
【図面の簡単な説明】
【０００８】
【図１】図１は、第１の実施形態に係る携帯型端末装置の構成例を示す図である。
【図２】図２は、右利き用に対応させた状態の携帯型端末装置を示す図である。
【図３】図３は、左利き用に対応させた状態の携帯型端末装置を示す図である。
【図４】図４は、携帯型端末装置のハードウェア構成例を模式的に示す図である。
【図５】図５は、ケース及び電子機器の動作の一例を示すシーケンス図である。
【図６】図６は、第２の実施形態に係る携帯型端末装置の構成例を示す図である。
【図７】図７は、右利き用に組み立てた携帯型端末装置の例を示す図である。
【図８】図８は、左利き用に組み立てた携帯型端末装置の例を示す図である。
【図９】図９は、携帯型端末装置のハードウェア構成例を模式的に示す図である。
【図１０】図１０は、サブバッテリーとテンキーとケースとの組み立て方を示す図である。
【図１１】図１１は、ケース及び電子機器の動作の一例を示すシーケンス図である。
【発明を実施するための形態】
【０００９】
実施形態について図面を用いて説明する。以下の実施形態では、携帯端末装置が飲食店でのオーダーエントリ業務に用いるハンディターミナルである場合を例に説明するが、これは一例であって、本発明はこの実施形態により限定されない。
【００１０】
（第１の実施形態）
図１は、第１の実施形態に係る携帯型端末装置の構成例を示す図である。ケース１０は、電子機器２０を収納する。電子機器２０は、スマートフォンやタブレット端末等の携帯型のものである。なお、電子機器２０は、店舗の従業員が私用で所持するものであってもよいし、店舗から各従業員に配布されるものであってもよい。
【００１１】
電子機器２０は、略長方体形状の筐体２１、表示部２２、タッチパッド２３、および外部接続端子２４を備えている。表示部２２は、例えばＬＣＤ（Liquid  Crystal  Display）等であって、電子機器２０の前面側に配置されて、各種の情報を表示する。タッチパッド２３は、例えば静電容量式のタッチセンサで構成されたタッチパネルであって、表示部２２の面上に重ねて配置されて、表示部２２の表示画面上に対する指の操作位置を検知する。
【００１２】
外部接続端子２４は、例えばｍｉｃｒｏＵＳＢ（Universal  Serial  Bus）等であって、電子機器２０の側面に設けられている。電子機器２０は、外部接続端子２４に対応するコントローラ等を内蔵し、当該コントローラおよび外部接続端子２４を介して、外部装置（例えばケース１０）と電気的に接続される。
【００１３】
ケース１０は、電子機器２０を着脱可能に保持する本体部１１と、この本体部１１に回動支持部１２によって接続されたカバー部１３とを備える。回動支持部１２は、例えばヒンジ等であり、当該回動支持部１２を介してカバー部１３は本体部１１に対して回動可能に連結される。
【００１４】
本体部１１は、底面部１１１と側壁部１１２とを有する薄い箱型であって、電子機器２０を、表示画面を露出させた状態で保持する。底面部１１１は、電子機器２０の形状に応じた略長方形状を有し、保持した電子機器２０の裏面に対向する。側壁部１１２は、底面部１１１の周縁に立設されていて、電子機器２０の厚みに応じた高さを有し、電子機器２０を側面から支持する。
【００１５】
さらに、本体部１１は、側壁部１１２の内壁面、つまり電子機器２０と接触する面側であって電子機器２０の外部接続端子２４に対応する位置に、端子部１１３（図４参照）を備えている。端子部１１３は、外部接続端子２４の形状に対応した形状を有し、本体部１１に電子機器２０が取り付けられる際に、外部接続端子２４と電気的に接続される。
【００１６】
さらに、本体部１１は、側壁部１１２の外壁面、つまり側壁部１１２の内壁面の裏側の面に、サイドキー群１１４を備えている。サイドキー群１１４は、データ入力用の操作子群であって、例えば上下方向を指示するための方向キーや確定キー等の、オーダーエントリ業務に係る各種の操作子を含んで構成されている。サイドキー群１１４は、本体部１１の長手方向中央部に設けられている。
【００１７】
さらに、本体部１１は、側壁部１１２の外壁面に、電源接続部１１５を備えている。電源接続部１１５は、受電用のコネクタを備え、図示しないケーブル等を介して外部電源に接続される。
【００１８】
カバー部１３は、概ね平板状で略長方形状を有し、本体部１１に取り付けられた電子機器２０の前面を開閉可能に構成されている。より詳しくは、カバー部１３は、本体部１１に保持された電子機器２０の表示画面を覆う位置（第１位置）と、その位置において表示画面に対向する面（内側面、第１面）が表示画面と横並びに位置する位置（第２位置）との間を移動可能に、本体部１１に連結されている。ここで、「横並び」について補足する。本実施形態のカバー部１３および電子機器２０は、ともに長方形状であって、各々の長手方向を平行にし、長手方向に直交する方向（短手方向）に並んでいる。ユーザに把持された状態の携帯型端末装置の上下（天地、縦）方向は、本実施形態ではカバー部１３および電子機器２０の長手方向であり、左右（横）方向は、本実施形態ではカバー部１３および電子機器２０の短手方向である。
【００１９】
カバー部１３の電子機器２０の前面に対向する面（内側面）には、データ入力用のキーパッド１３１が設けられている。キーパッド１３１は、操作部の一例であり、例えば、数値を入力するためのテンキー、メニューを選択するためのメニューキー、トッピング等を選択するためのオプションキー等の、オーダーエントリ業務に係る各種キー（操作子）を有する。
【００２０】
上記構成のケース１０において、従業員等のユーザは、電子機器２０の前面を上に向けた状態で、当該電子機器２０を底面部１１１及び側壁部１１２が形成する凹部Ｄ１に嵌め込むことで、電子機器２０を本体部１１に取り付けることができる。このとき、外部接続端子２４が端子部１１３に接続される。
【００２１】
図２は、右利き用に対応させた状態の携帯型端末装置を示す図であって、（ａ）はカバー部１３を閉めた状態（閉状態）を示し、（ｂ）はカバー部１３を開けた状態（開状態）を示している。また、図３は、左利き用に対応させた状態の携帯型端末装置を示す図である。
【００２２】
カバー部１３は、閉状態のとき、電子機器２０の表示画面を保護する。また、ユーザは、カバー部１３を開状態として、キーパッド１３１に対する操作を行う。なお、キーパッド１３１やサイドキー群１１４に対する操作は、カバー部１３が開状態であることを条件に、有効化するのであってもよい。この場合、例えば、カバー部１３の開閉状態を検知する開閉センサをケース１０に設け、開閉センサの検知結果に基づいて操作の有効／無効を切り替える構成としてもよい。
【００２３】
キーパッド１３１は、複数のキースイッチと、機能シートと、透明カバーとを備えている。キースイッチは、押圧により信号を出力するもので、各キーが受ける操作を電気信号にする。機能シートは、各キーの機能を表す名称等が、キースイッチの配列に合わせて、表記されたものである。透明カバーは、キースイッチ群との間に機能シートを挟むものである。透明カバーは開閉自在であり、透明カバーを開くことにより機能シートの入れ替えが可能である。
【００２４】
キーパッド１３１が備える複数のキーは、マトリクス状に配置されていて、カバー部１３および電子機器２０の長手方向中央で対称である。上述のような配置により、右利き用と左利き用との使い分けのためにケース１０の天地（上下）が逆にされた場合、ケース１０に対するカバー部１３の左右は逆になるが、キーパッド１３１のキーの配置は共通となる。
【００２５】
右利き用で使用されていたものを左利き用として使用する（またはその逆の）ユーザは、キーパッド１３１の透明カバーを開いて機能シートを一旦取り出し、機能シートを１８０°回転させて上下を逆にして、改めて透明カバーとキースイッチ群との間に差し込む。
【００２６】
なお、キースイッチの配置は、必ずしもマトリクス状でなくとも、例えば、キーパッド１３１の中央を中心とする点対称であってもよい。この場合にも、機能シートは、１８０°回転させた状態で透明カバーとキースイッチ群との間に入れ直すことによって、右利き用および左利き用の両方で使用可能となる。
【００２７】
図４は、携帯型端末装置のハードウェア構成例を模式的に示す図である。ケース１０は、上述した端子部１１３、サイドキー群１１４、電源接続部１１５及びキーパッド１３１の他、図４に示すように、記憶部１４を備える。記憶部１４は、キー設定記憶部、業務プログラム記憶部およびキー配列プログラム記憶部の一例である。
【００２８】
電源接続部１１５は、外部電源から供給された電力をケース１０の各部に供給する。
【００２９】
端子部１１３は、電気的に接続された電子機器２０との間で、電力の授受や各種情報の授受を行う。また、端子部１１３は、電源接続部１１５を介して供給された電力を、ケース１０の各部に供給する。これにより、電子機器２０は、ケース１０に取り付けられた状態で、充電などのため外部電源から電力の供給を受けることができる。
【００３０】
さらに、端子部１１３は、電子機器２０から供給された電力をケース１０の各部に供給する。具体的には、端子部１１３は、電源接続部１１５に外部電源が接続されていない場合に、電子機器２０から供給された電力をケース１０の各部に供給する。
【００３１】
また、端子部１１３は、サイドキー群１１４やキーパッド１３１に対するキー操作を受け付けると、そのキー操作に応じた情報（操作信号）を、電子機器２０に出力する。
【００３２】
さらに、端子部１１３は、電子機器２０に対し、記憶部１４に記憶されたアプリケーション（プログラム）や設定情報等を実行可能（読み出し可能）に提供する。
【００３３】
記憶部１４は、例えば、本体部１１（例えば底面部１１１）に内蔵され、フラッシュメモリやＳＳＤ（Solid  State  Drive）等の不揮発性の記憶媒体を備える。記憶部１４は、ケース１０の動作に係る各種のデータを、端子部１１３に接続された電子機器２０から読み出し可能に記憶する。
【００３４】
具体的には、記憶部１４は、接続された電子機器２０に実行させるためのプログラムを記憶する。係るプログラムは、ケース１０に収納された電子機器２０を、オーダーエントリ用のハンディターミナルとして機能させるための、以下のようなプログラムを含む。
【００３５】
例えば、記憶部１４は、サイドキー群１１４及びキーパッド１３１による操作入力を可能とするための第１のプログラム（デバイスドライバ等）を記憶する。
【００３６】
また、記憶部１４は、電子機器２０が備える無線通信部２０５を、ＬＡＮ（Local  Area  Network）等の店舗に設けられたネットワーク（以下、店舗内ネットワークという）に接続させるための第２のプログラムを記憶する。なお、店舗内ネットワークには、注文情報を管理するためのオーダーステーション（図示せず）が接続されているものとする。
【００３７】
また、記憶部１４は、業務プログラム記憶部として、電子機器２０をオーダーエントリ用のハンディターミナルとして機能させるための第３のプログラムを記憶する。第３のプログラムは、例えば、各種メニューのオーダーを受け付けるためのＧＵＩ（Graphical  User  Interface）を表示部２２に表示させるための機能を有する。また、第３のプログラムは、例えば、サイドキー群１１４やキーパッド１３１を介して入力されたメニューを示す注文情報を、無線通信部２０５を介してオーダーステーション（図示せず）に無線送信させるための機能を有する。
【００３８】
また、記憶部１４は、電子機器２０が予め備える機能を無効化するための第４のプログラムを記憶する。無効化の対象となる機能は特に問わないものとするが、例えばモバイル通信機能等、オーダーエントリ業務に不要な機能を対象とすることが好ましい。
【００３９】
また、記憶部１４は、キー配列プログラム記憶部として、電子機器２０に、自装置の天地方向に応じて、第１および第２のキー設定情報のうち適する方を採用させるための第５のプログラムを記憶する。この第５のプログラムを実行する電子機器２０は、例えば、ケース１０の端子部１１３と接続している外部接続端子２４が、現在、筐体２１の上となっている側に存在するか、あるいは下となっている側に存在するかによって、適するキー設定情報を採用する。
【００４０】
また、記憶部１４は、上記した各プログラムの実行に係る各種の設定情報を記憶する。例えば、記憶部１４は、店舗内ネットワークに接続するためのパスワードや、オーダーステーション（図示せず）のＩＰアドレス等、無線通信に係る設定情報を記憶する。
【００４１】
また、記憶部１４は、キー設定記憶部として、サイドキー群１１４やキーパッド１３１のキー配列や、各キーに割り当てられた機能等が設定された設定情報を記憶する。ここで、キー設定記憶部としての記憶部１４は、キー配列に対しての設定情報を、２種類記憶している。つまり、キー設定記憶部は、第１のキー設定情報および第２のキー設定情報を記憶する。第１のキー設定情報は、キーの各々が受け付ける操作指示内容を、キーの各々に関連付ける。第２のキー設定情報は、電子機器２０の長手方向を上下方向として上下逆にしたときに、キー配列および各キーに割り当てられる機能等の上下を再現する。つまり、第２のキー設定情報は、例えば、第１のキー設定情報においてキーの各々に関連付けられている操作指示内容を、当該操作指示内容が第１のキー設定情報において関連付けられた各キーと対称な位置関係にある各キーに、関連付ける。具体例としては、図２（ｂ）に示す右利き用の使用状態において、右上角部のキーが受け付ける操作指示内容を、左利き用の使用状態においては、同図における左下角部のキーが受け付ける。
【００４２】
なお、第１および第２のキー設定情報は、いずれも、キーパッド１３１が備えるキーについてだけでなく、サイドキー群１１４が備えるキーについても、各キーが受け付ける操作指示内容を、各キーに関連付ける。
【００４３】
一方、電子機器２０は、上述した表示部２２、タッチパッド２３及び外部接続端子２４の他、図４に示すように、ＣＰＵ（Central  Processing  Unit）２０１、ＲＯＭ（Read  Only  Memory）２０２、ＲＡＭ（Random  Access  Memory）２０３、記憶部２０４、無線通信部２０５、モバイル通信部２０６、音声入出力部２０７、二次電池２０８、センサ２０９等を備える。
【００４４】
ＣＰＵ２０１は、電子機器２０の各部の動作を制御する。ＲＯＭ２０２は、ＣＰＵ２０１が実行するプログラムを記憶している。ＲＡＭ２０３は、ＣＰＵ２０１のワークエリアとして使用される。記憶部２０４は、フラッシュメモリやＳＳＤ等の記憶媒体であって、ＣＰＵ２０１が実行するプログラムやオペレーティングシステム等を記憶する。
【００４５】
無線通信部２０５は、ＷｉＦｉ等の無線通信を行うことが可能な通信インタフェースである。モバイル通信部２０６は、第４世代等のモバイル通信を行うことが可能な通信インタフェースである。音声入出力部２０７は、マイクロフォンやスピーカ等を有する。
【００４６】
二次電池２０８は、外部接続端子２４を介して外部電源から供給される電力を蓄電（充電）する。また、二次電池２０８は、蓄電した電力を電子機器２０の各部に供給する。
【００４７】
センサ２０９は、上下方向を判別可能にするセンサ（例えば加速度センサ）であって、ＣＰＵ２０１に対して、上下方向に応じた出力を行う。
【００４８】
上記した構成において、電子機器２０のＣＰＵ２０１は、外部接続端子２４を介してケース１０の記憶部１４に記憶されたプログラムを実行することで、オーダーエントリ業務に係る各種の機能を実現する。
【００４９】
次に、図５を参照して、携帯型端末装置の動作の一例について説明する。図５は、ケース１０及び電子機器２０の動作の一例を示すシーケンス図である。
【００５０】
ケース１０に電子機器２０が取り付けられ、端子部１１３と外部接続端子２４とが電気的に接続されると（ステップＳ１１）、端子部１１３は、電子機器２０に対し記憶部１４をアクセス可能な状態とする（ステップＳ１２）。
【００５１】
続いて、電子機器２０のＣＰＵ２０１は、ケース１０の記憶部１４にアクセスし、記憶部１４に記憶されたプログラム及び設定情報を読み出す（ステップＳ１３）。
【００５２】
次いで、電子機器２０のＣＰＵ２０１は、読み出したプログラムを設定情報に基づいて実行することで（ステップＳ１４）、オーダーエントリ業務に係る各種機能を実現させる（ステップＳ１５）。
【００５３】
具体的には、電子機器２０のＣＰＵ２０１は、第１のプログラムを実行することで、サイドキー群１１４及びキーパッド１３１を介した操作入力を受け付け可能な状態とする。また、電子機器２０のＣＰＵ２０１は、第２のプログラムを実行することで、無線通信部２０５を店舗内ネットワークに接続させる。また、電子機器２０のＣＰＵ２０１は、第３のプログラムを実行することで、オーダーエントリ用のＧＵＩを表示部２２に表示させる。そして、電子機器２０のＣＰＵ２０１は、第４のプログラムを実行することで、オーダーエントリ業務に不要なモバイル通信部２０６等の機能部を停止させる。
【００５４】
以上の処理により、電子機器２０では、ケース１０に設けられたサイドキー群１１４及びキーパッド１３１を、入力デバイスとして使用することが可能となる。これにより、客から受け付けたメニュー等の入力をサイドキー群１１４及びキーパッド１３１のキー操作で行うことができるため、メニュー画面を切り替えながらメニューを入力する操作方法と比較し、オーダーエントリ業務を容易かつ効率的に行うことができる。すなわち、ケース１０に電子機器２０を取り付けることで、当該ケース１０及び電子機器２０を、オーダーエントリ用の専用端末（ハンディターミナル）と同様に使用することができる。
【００５５】
また、ケース１０は、オーダーエントリ業務に係るプログラムや設定情報を記憶し、電子機器２０に対し読み取り可能に提供するため、電子機器２０において、オーダーエントリ業務用の準備を容易かつ効率的に行うことができる。また、ケース１０では、メニュー等のＧＵＩの表示機能や店舗内ネットワークとの通信機能を、電子機器２０を用いて実現できるため、オーダーエントリ業務用の専用端末と比較し、製造コストを削減することができる。また、ケース１０では、電子機器２０が具備する機能のうち、オーダーエントリ業務に不要な機能を無効化することができるため、例えば、従業員が所持するスマートフォン等の汎用の電子機器２０を、有効に活用することができる。
【００５６】
そして、電子機器２０は、使用状態の上下を逆さにされると、センサ２０９の出力に基づいて、上下方向を判別する。具体的には、電子機器２０のＣＰＵ２０１は、第５のプログラムを実行することで、例えば、外部接続端子２４が、現在、筐体２１の上となっている側に存在するか、あるいは下となっている側に存在するかによって、適するキー設定情報を採用する。これにより、右利き用での使用状態の上下を逆にして左利き用として使用されるとき、また逆に、左利き用での使用状態の上下を逆にして右利き用として使用されるとき、自動的に、キー配列に対しての設定情報が変更される。したがって、右利き用の使用状態と左利き用の使用状態とで、同様のキーパッド１３１を、本体部１１の左右逆に配置させることができる。これにより、一つの携帯型端末装置を、右利きのユーザだけでなく、左利きのユーザにも使いやすいハンディターミナルとして用いることができる。
【００５７】
以上、第１の実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、組み合わせ、変更を行うことができる。これらの実施形態やその変形は、発明の範囲や要旨に含まれるとともに、特許請求の範囲に記載された発明とその均等の範囲に含まれる。
【００５８】
例えば、上記実施形態では、電子機器２０のＣＰＵ２０１は、ケース１０に記憶されたプログラムを読み出して実行する構成としたが、この構成に限らないものとする。具体的には、電子機器２０のＣＰＵ２０１は、ケース１０の記憶部１４から読み出したプログラムを自装置に導入（インストール）することで、当該プログラムを自装置の記憶部２０４に保持する構成としてもよい。この場合、例えば電子機器２０のＣＰＵ２０１は、ケース１０との初回の接続時に、ケース１０の記憶部１４に記憶されたプログラムや設定情報を、自装置の記憶部２０４にインストール又はコピーを行う。また、次回以降の接続時には、電子機器２０のＣＰＵ２０１は、ケース１０の記憶部１４に記憶されたプログラムや設定情報のバージョンを参照し、自装置に導入されたバージョンよりも新しい場合に更新する構成としてもよい。
【００５９】
また、上記実施形態では、キーパッド１３１をハードウェアキーとしたが、これに限らず、例えば、電子ペーパーやタッチパネル技術等を用いることで、ソフトウェアキーで構成してもよい。
【００６０】
（第２の実施形態）
次に、第２の実施形態について図面を用いて説明する。本実施形態では、第１の実施形態と同じ箇所については、同じ符号を用い、説明を省略し、異なる箇所について説明する。
【００６１】
図６は、第２の実施形態に係る携帯型端末装置の構成例を示す図である。図７は、右利き用に組み立てた携帯型端末装置の例を示す図である。図８は、左利き用に組み立てた携帯型端末装置の例を示す図である。図９は、携帯型端末装置のハードウェア構成例を模式的に示す図である。
【００６２】
まず、本実施形態においては、第１の実施形態で説明した電子機器２０のセンサ２０９を使用しないので、電子機器２０におけるセンサ２０９の有無を問わない。
次に、本実施形態の携帯型端末装置は、テンキー４０を含んで構成される。
また、本実施形態においては、第１の実施形態におけるケース１０に代えて、本体部１１にテンキー４０をも収納可能なケース３０を用いる。ケース３０の本体部１１は、テンキー４０を、当該テンキー４０の入力受付面が電子機器２０の表示画面と同じ方向に向いた状態で着脱可能に、電子機器２０とともに保持する。
【００６３】
ケース３０の本体部１１は、第１および第２の端子部３１，３２を備えている。第１のおよび第２の端子部３１，３２は、同じ機能を有している。すなわち、第１および第２の端子部３１，３２は、本体部１１に保持された電子機器２０との情報送受信を可能にする接続に用いられ、当該電子機器２０に対し、記憶部１４に記憶されたプログラムを実行可能に提供する。
【００６４】
また、第１の端子部３１と、第２の端子部３２とは、本体部１１の中央で点対称な位置に設けられている。これらの端子部３１，３２のいずれかに、テンキー４０が接続される。また、テンキー４０を介して、電子機器２０は、ケース３０に接続される。
【００６５】
テンキー４０は、所定の入力操作を受け付ける第２操作部の一例であって、電子機器２０（表示部２２）の下方となる位置、すなわちケース３０を把持した際に、キー操作を容易に行うことが可能な位置に、配置されている。テンキー４０は、キー４１と、サブバッテリー４２と、第３の端子部４３と、第４の端子部４４と、を備えている。
【００６６】
テンキー４０は、数字入力等の固定の用途に用いられる小型のキーボードであって、複数個のキー４１を備えている。キー４１は、０〜９までの１０種類の数字や、カーソルの上下動、入力値クリア等の各種入力を、受け付ける。
【００６７】
サブバッテリー４２は、図１０に示すように、キー４１の背面に設けられた収納凹部４５に、着脱可能に嵌め込まれる。図１０は、サブバッテリー４２とテンキー４０とケース３０との組み立て方を示す図である。本体部１１は、底面部１１１に、二つの開口部３３，３４を有している。開口部３３，３４は、テンキー４０の収納凹部４５に着脱されるサブバッテリー４２が通過可能な形状を有している。これにより、サブバッテリー４２は、テンキー４０に対して着脱可能に露出される。
【００６８】
第３の端子部４３は、第１および第２の端子部３１，３２と接続可能である。第３の端子部４３は、ケース３０に対して、第１の実施形態における電子機器２０の外部接続端子２４のように機能する。すなわち、第３の端子部４３は、第１および第２の端子部３１，３２の形状に対応した形状を有し、本体部１１に取り付けられる際に、第１の端子部３１または第２の端子部３２と電気的に接続される。
【００６９】
第１および第２の端子部３１，３２と第３の端子部４３とは、ケース３０とテンキー４０との間での電力の授受や各種情報の授受を、仲介する。また、第１および第２の端子部３１，３２は、電源接続部１１５を介して供給された電力を、ケース３０の各部に供給する。これにより、テンキー４０は、ケース３０に取り付けられた状態で、外部電源から電力の供給を受けて、サブバッテリー４２への充電などを行うことができる。
【００７０】
さらに、第１および第２の端子部３１，３２は、テンキー４０から供給された電力を、ケース３０の各部に供給可能である。具体的には、第１および第２の端子部３１，３２は、電源接続部１１５に外部電源が接続されていない場合に、テンキー４０のサブバッテリー４２から供給された電力を、ケース３０の各部に供給する。
【００７１】
第４の端子部４４は、電子機器２０の外部接続端子２４と接続可能である。第４の端子部４４は、電子機器２０に対して、第１の実施形態における端子部１１３のように機能する。すなわち、第４の端子部４４は、外部接続端子２４の形状に対応した形状を有し、電子機器２０とともに本体部１１に取り付けられる際に、外部接続端子２４と電気的に接続される。
【００７２】
外部接続端子２４と第４の端子部４４とは、電子機器２０とテンキー４０との間での電力の授受や各種情報の授受を、仲介する。これにより、テンキー４０は、ケース３０に取り付けられた状態で、外部接続端子２４を介して二次電池２０８から電力の供給を受けて、サブバッテリー４２への充電などを行うことができる。
【００７３】
さらに、外部接続端子２４は、テンキー４０から供給された電力を、電子機器２０の各部に供給可能である。具体的には、外部接続端子２４は、テンキー４０のサブバッテリー４２から電力の供給を受けて、二次電池２０８への充電などを行うことができる。
【００７４】
また、第１および第２の端子部３１，３２は、テンキー４０を介して外部接続端子２４と電気的に接続しており、第１の実施形態と同様に、電気的に接続された電子機器２０との間で、電力の授受や各種情報の授受を行うことができる。
【００７５】
第１および第２の端子部３１，３２は、サイドキー群１１４やキーパッド１３１に対するキー操作を受け付けると、そのキー操作に応じた情報（操作信号）を、電子機器２０に、テンキー４０を介して、出力する。
【００７６】
さらに、第１および第２の端子部３１，３２は、電子機器２０に対し、記憶部１４に記憶されたアプリケーション（プログラム）や設定情報等を実行可能（読み出し可能）に提供する。
【００７７】
記憶部１４は、ケース３０の動作に係る各種のデータを、第１または第２の端子部３１，３２にテンキー４０を介して接続された電子機器２０から読み出し可能に、記憶する。
【００７８】
ここで、本実施形態のケース３０は、さらに、記憶部３５，３６を備えている。記憶部３５，３６は、記憶部１４の一部領域を利用したものでもよいし、記憶部１４とは別に設けられていてもよい。また、記憶部３５，３６は、同一の記憶装置の別領域を利用するものであってもよいし、各々別の記憶装置に設けられていてもよい。
【００７９】
記憶部３５，３６は、キー設定記憶部として、サイドキー群１１４やキーパッド１３１のキー配列や、各キーに割り当てられた機能等が設定された設定情報を記憶する。ここで、記憶部３５は、第１のキー設定情報を記憶し、記憶部３６は、第２のキー設定情報を記憶する。第１および第２のキー設定情報の内容は、第１の実施形態と同様である。
【００８０】
ここで、本実施形態の記憶部１４は、キー配列プログラム記憶部として、電子機器２０に、第１および第２の端子部３１，３２のいずれが電子機器２０との接続を行っているかに応じて、第１および第２のキー設定情報のうち適する方を採用させるための第６のプログラムを、記憶している。
【００８１】
第６のプログラム実行中の電子機器２０は、外部接続端子２４がテンキー４０を介して接続されているのが第１の端子部３１である場合、記憶部３５に記憶された第１のキー設定情報を読み出して適用する。
また、第６のプログラム実行中の電子機器２０は、外部接続端子２４がテンキー４０を介して接続されているのが第２の端子部３２である場合に、記憶部３６に記憶された第２のキー設定情報を読み出して、適用する。
【００８２】
次に、図１１を参照して、本実施形態の携帯型端末装置の動作の一例について説明する。図１１は、ケース３０及び電子機器２０の動作の一例を示すシーケンス図である。
【００８３】
ケース３０に電子機器２０が取り付けられ、第１または第２の端子部３１，３２と第３の端子部４３とが電気的に接続され、第４の端子部４４と外部接続端子２４とが電気的に接続されると（ステップＳ３１）、第１または第２の端子部３１，３２は、電子機器２０に対し、記憶部１４と、記憶部３５または３６とを、アクセス可能な状態とする（ステップＳ３２）。
【００８４】
続いて、電子機器２０のＣＰＵ２０１は、ケース３０の記憶部１４と記憶部３５または３６とにアクセスし、それらに記憶されたプログラム及び設定情報を読み出す（ステップＳ３３）。
【００８５】
次いで、電子機器２０のＣＰＵ２０１は、読み出したプログラムを設定情報に基づいて実行することで（ステップＳ３４）、オーダーエントリ業務に係る各種機能を実現させる（ステップＳ３５）。
【００８６】
以上により、第１実施形態と同様の効果を得ることができる。すなわち、ケース３０に対して電子機器２０およびテンキー４０を右利き用または左利き用の使用状態に組み替えることにより、同様のキーパッド１３１を、本体部１１の左右逆に配置させることができる。これにより、一つの携帯型端末装置を、右利きのユーザだけでなく、左利きのユーザにも使いやすいハンディターミナルとして用いることができる。
【００８７】
次に、上記実施形態の変形例について説明する。上述の第２の実施形態では、テンキー４０を備える例について説明したが、テンキー４０を除いた構成であってもよい。この場合、携帯型端末装置としての外観は、第１の実施形態のようになる。また、この場合、外部接続端子２４が、第１の端子部３１または第２の端子部３２に、テンキー４０を介さずに直接、電気的に接続される。なお、この場合、第６のプログラム実行中の電子機器２０の動作は、図１１に示したものと同様である。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８９】
１０  …ケース
１１  …本体部
１２  …回動支持部
１３  …カバー部
１４  …記憶部（キー設定記憶部、業務プログラム記憶部、キー配列プログラム記憶部）
１１１…底面部、Ｄ１…凹部
１１２…側壁部
１１３…端子部
１１４…サイドキー群
１１５…電源接続部
１３１…キーパッド（操作部）
２０  …電子機器
２１  …筐体
２２  …表示部
２３  …タッチパッド
２４  …外部接続端子
２０１…ＣＰＵ、２０２…ＲＯＭ、２０３…ＲＡＭ、２０４…記憶部
２０５…無線通信部、２０６…モバイル通信部、２０７…音声入出力部
２０８…二次電池
２０９…センサ
３０  …ケース
３１  …第１の端子部
３２  …第２の端子部
３３，３４…開口部
３５  …記憶部（第１のキー設定情報を記憶するキー設定記憶部）
３６  …記憶部（第２のキー設定情報を記憶するキー設定記憶部）
４０  …テンキー
４１  …キー
４２  …サブバッテリー
４３  …第３の端子部
４４  …第４の端子部
４５  …収納凹部
【先行技術文献】
【特許文献】
【００９０】
【特許文献１】特開２０１３−１８７６３６号公報
【図１】
2019022133.tif 000003
【図２】
2019022133.tif 000004
【図３】
2019022133.tif 000005
【図４】
2019022133.tif 000006
【図５】
2019022133.tif 000007
【図６】
2019022133.tif 000008
【図７】
2019022133.tif 000009
【図８】
2019022133.tif 000010
【図９】
2019022133.tif 000011
【図１０】
2019022133.tif 000012
【図１１】
2019022133.tif 000013